(57)【要約】【課題】車両の移動に伴って受信中の放送電波の電界強度が所定のレベル以下になった場合に、受信可能な放送局を選択するための操作が容易に行えるようにする。【解決手段】放送受信装置１０はタッチパネル部２０を有する表示部１９を備え、タッチパネル部２０に選局ボタンを表示する。周波数サーチ部２６がサーチした放送電波の電界強度が所定の受信レベル以上であるか否かを受信レベル判定部２７で判定し、電界強度が所定の受信レベル以上の局を受信可能局として受信可能局記憶部２８に記憶しておき、受信中の放送電波の電界強度が所定の受信レベル以下になり、系列局または送信局の放送電波に切り換え受信できない場合、受信可能局記憶部２８に記憶された受信可能局の情報に基づいてタッチパネル部２０に該受信可能局に応じた選局ボタンを表示する。【選択図】図１
2008148197.tif 000002
【特許請求の範囲】
【請求項１】
移動体において放送電波を受信する放送受信装置であって、受信中の放送電波の電界強度が所定の受信レベル以下になった場合に、系列局または送信局の放送電波に切り換えて受信する放送受信装置において、
前記放送受信装置は、タッチパネル部を有する表示部を備え、該タッチパネル部に選局ボタンを表示し、タッチ操作された選局ボタンに従って放送電波を受信するように構成され、該放送受信装置は更に、周波数サーチ部と、受信レベル判定部と、受信可能局記憶部と、を備え、前記受信レベル判定部は周波数サーチ部がサーチした放送電波の電界強度が所定の受信レベル以上であるか否かを判定し、電界強度が所定の受信レベル以上の局を受信可能局として前記受信可能局記憶部に記憶し、
前記放送受信装置は、受信中の放送電波の電界強度が所定の受信レベル以下になり、前記系列局または送信局の放送電波に切り換え受信できない場合、前記受信可能局記憶部に記憶された受信可能局の情報に基づいて前記タッチパネル部に該受信可能局に応じた選局ボタンを表示することを特徴とする放送受信装置。
【請求項２】
前記タッチパネル部に表示する選局ボタンは、受信可能局に応じた選局ボタンを反転表示することを特徴とする請求項１に記載の放送受信装置。
【請求項３】
前記タッチパネル部に表示する選局ボタンは、受信可能局に応じた選局ボタンのみを表示することを特徴とする請求項１に記載の放送受信装置。
【発明の詳細な説明】
【技術分野】
【０００１】
本発明は、アナログテレビジョン放送や地上波デジタルテレビジョン放送を受信する放送受信装置、特に、タッチパネルに選局ボタンを表示して利用者が容易に所望の放送を選択できるようにした車載用の放送受信装置に関するものであり、車両の移動により現在受信中の放送電波の受信レベルが低下した場合に、系列放送局の送信局の放送電波に自動的に切り換えて受信し、該送信局の全ての放送電波が受信可能なレベルより低い時には、他の受信可能なレベルの放送電波に対応する選局ボタンを表示するようにした放送受信装置に関するものである。
【背景技術】
【０００２】
近年では電子機器の小型化や低価格化が進み、種々の電子機器が自動車に搭載されるようになってきている。例えば、カーラジオやカーテレビなどの放送受信装置、ＭＤ・ＤＶＤプレイヤーなどのオーデオ・ビデオ装置、カーナビゲーション装置など種々の機器が多くの自動車に搭載されて利用されている。
【０００３】
また、最近では地上波デジタル放送の商業放送が開始され、徐々に普及しつつあるが、地上波デジタル放送では、ＯＦＤＭと呼ばれるゴーストに強い伝送方式が採用されており、自動車などの移動体においても地上波デジタル放送受信機が使用されようとしている。
【０００４】
しかしながら、これらの車載用の放送受信装置においては、移動体の宿命として移動とともに現在受信しているチャンネルの受信エリアから外れてしまい、受信できなくなるという現象が生じる。
【０００５】
一般に放送局は、放送地域内の複数の場所に送信局を置局し、これら送信局から電波を送出して、放送局の受信可能エリアを広げている。これら送信局が同一周波数で電波を送信していれば（ＳＦＮ：Single Frequency Network）、受信していた送信局の受信エリアから外れた場合でも、別の送信局の受信エリア内であれば視聴を続けることができる。しかし、異なる周波数で送信局が送信している場合（ＭＦＮ：Multiple Frequency Network）もあり、この場合は、チャンネルスキャンをし直して、受信可能な送信局からの周波数を受信しないと、受信していた放送局の番組の視聴を継続できない。
【０００６】
このチャンネルスキャンには数分間を要するのが一般的であり、この放送エリア間の移動が、テレビ放送などのサービスを受けている場合に発生すると、映像が数分間に渡ってフリーズするなどの障害を生じてしまう。さらに、移動したエリアにおいて今まで受信していた放送局の番組を受信し続けるためには、チャンネルスキャン後、再度選局しなければならないという不都合があった。
【０００７】
このような問題を解消するため、例えば、下記の特許文献１（特開２００４−３２０４０６号公報）には、放送地域をまたがって移動しても地域ごとのデジタル放送を継続的に選局する地上デジタル自動選局方法を有する車載用放送受信装置が開示されている。
【０００８】
この特許文献１に開示された車載用放送受信装置は、ダブルチューナー搭載のダイバーシティアンテナ受信機を備え、２個のチューナーで状態の良い方の信号を用いて受信を行う。電波が安定しているときは、片方のチューナーを用いてチャンネルサーチを行い、受信地域の全チャンネル情報を受信機に記憶させる。また、放送で隣接地域のチャンネル情報を放送し、それを片方のチューナーで受信して、隣接地域のチャンネル情報を記憶させることにより、隣接地域に移動したときにその地域の放送チャンネルをサーチすることなく、シームレスな放送受信を可能としたものである。
【０００９】
また、下記の特許文献２（特開２００１−２８５１０１号公報）には、現在の受信エリアから外れても容易に同一番組を受信可能にする車載用放送受信装置が開示されている。
【００１０】
この特許文献２に開示された車載用放送受信装置は、カーナビゲーション・システムから現在位置情報などを受け取ると、移動体上のデジタル放送受信機は、メモリ内に予め格納された受信範囲情報と現在位置情報とを比較し、受信可能範囲内の放送局をメモリ内でサーチし、直前まで受信していた番組を探す動作を行うように構成したものである。
【特許文献１】特開２００４−３２０４０６号公報
【特許文献２】特開２００１−２８５１０１号公報
【発明の開示】
【発明が解決しようとする課題】
【００１１】
一般的に、自動車などの移動体に設置された放送受信装置においては、前述したように移動体の移動に伴ってそれまで受信していた放送局や送信局の放送電波の受信状態が悪化し、放送を受信できなくなることがある。
【００１２】
表示手段にタッチパネル部を備え、選局ボタンを表示する放送受信装置の場合、利用者は、先ず選局ボタン表示スイッチを操作して表示手段に選局ボタンを表示させ、表示された選局ボタンの中から受信したい所望の放送局をタッチ操作して、その放送局の放送電波を受信するように構成される。
【００１３】
このような放送受信装置において、自動車移動して現在受信中の放送局の放送電波の受信状態が悪化すると受信中の放送を視聴できなくなる。受信状態の悪化とは、例えば、受信している放送電波の電界強度が所定のレベルよりも低下する状態であり、このような状態になると音声や画像の再生が正常に行えなくなるため、利用者は受信中の放送を視聴できなくなる。
【００１４】
その場合、例えば、テレビジョン放送においては画像が乱れたり、ノイズ画像だけになったり、音声が途切れたりする。このような状態になった場合、利用者は再度、選局ボタン表示スイッチを操作して表示手段に選局ボタンを表示させ、表示された選局ボタンの中から受信したい所望の放送局をタッチ操作しなければならず、操作性が良くないという問題があった。
【００１５】
上記特許文献１のように、ダブルチューナー搭載のダイバーシティアンテナ受信機を備え、２個のチューナーで状態の良い方の信号を用いて受信を行う構成をとることもできる。この場合、電波が安定しているときは、片方のチューナーを用いてチャンネルサーチを行い、受信地域の全チャンネル情報を受信機に記憶させ、また、放送で隣接地域のチャンネル情報を放送し、それを片方のチューナーで受信して、隣接地域のチャンネル情報を記憶させることにより、隣接地域に移動したときにその地域の放送チャンネルをサーチすることなく、シームレスな放送受信が可能になる。しかしながら、このような放送受信装置は構成が複雑になるという問題点がある。
【００１６】
また、上記特許文献２のようにカーナビゲーション・システムから現在位置情報などを受け取ると、移動体上のデジタル放送受信機は、メモリ内に予め格納された受信範囲情報と現在位置情報とを比較し、受信可能範囲内の放送局をメモリ内でサーチし、直前まで受信していた番組を探す動作を行うように構成することもできるが、このような放送受信装置では、直前に受信していた番組を継続し受信できるようにしたものであり、系列の放送局や送信局の放送電波が全て所定の受信レベル以下であった場合には、選局ボタン表示スイッチを操作して表示手段に選局ボタンを表示させてから選局操作しなければならないという問題点が残ってしまう。
【００１７】
本願の発明者は、上記の問題点を解消すべく種々検討を重ねた結果、車両の移動により現在受信中の放送電波の受信レベルが低下した場合に、系列放送局の送信局の放送電波に自動的に切り換えて受信し、該送信局の全ての放送電波が受信可能なレベルより低い時には、他の受信可能なレベルの放送電波に対応する選局ボタンを自動的に表示するようになせば、上記の問題点を解消し得ることに想到して本発明を完成するに至ったものである。
【００１８】
すなわち、本発明は上記の問題点を解消することを課題とし、車両の移動に伴って受信中の放送電波の電界強度が所定のレベル以下になった場合に、受信可能な放送局を選択するための操作を容易にできるようにした放送受信装置を提供することを目的とするものである。
【課題を解決するための手段】
【００１９】
前記課題を解決するために、本願の請求項１にかかる発明は、
移動体において放送電波を受信する放送受信装置であって、受信中の放送電波の電界強度が所定の受信レベル以下になった場合に、系列局または送信局の放送電波に切り換えて受信する放送受信装置において、
前記放送受信装置は、タッチパネル部を有する表示部を備え、該タッチパネル部に選局ボタンを表示し、タッチ操作された選局ボタンに従って放送電波を受信するように構成され、該放送受信装置は更に、周波数サーチ部と、受信レベル判定部と、受信可能局記憶部と、を備え、前記受信レベル判定部は周波数サーチ部がサーチした放送電波の電界強度が所定の受信レベル以上であるか否かを判定し、電界強度が所定の受信レベル以上の局を受信可能局として前記受信可能局記憶部に記憶し、
前記放送受信装置は、受信中の放送電波の電界強度が所定の受信レベル以下になり、前記系列局または送信局の放送電波に切り換え受信できない場合、前記受信可能局記憶部に記憶された受信可能局の情報に基づいて前記タッチパネル部に該受信可能局に応じた選局ボタンを表示することを特徴とする。
【００２０】
本願の請求項２にかかる請求項１にかかる放送受信装置において、前記タッチパネル部に表示する選局ボタンは、受信可能局に応じた選局ボタンを反転表示することを特徴とする。
【００２１】
本願の請求項３にかかる請求項１にかかる放送受信装置において、前記タッチパネル部に表示する選局ボタンは、受信可能局に応じた選局ボタンのみを表示することを特徴とする。
【発明の効果】
【００２２】
請求項１にかかる発明においては、周波数サーチ部がサーチした放送電波の電界強度が所定の受信レベル以上であるか否かを受信レベル判定部で判定し、電界強度が所定の受信レベル以上の局を受信可能局として前記受信可能局記憶部に記憶しておき、受信中の放送電波の電界強度が所定の受信レベル以下になり、系列局または送信局の放送電波に切り換え受信できない場合、前記受信可能局記憶部に記憶された受信可能局の情報に基づいて前記タッチパネル部に該受信可能局に応じた選局ボタンを表示する。
【００２３】
このような構成によれば、受信中の放送電波の電界強度が所定の受信レベル以下になり、系列局または送信局の放送電波に切り換え受信できない場合に、利用者は選局スイッチＳＷを操作することなく、タッチパネル部に表示された選局ボタンを操作することにより容易に受信可能な放送局の放送電波を受信することができるようになる。
【００２４】
請求項２または請求項３にかかる発明においては、請求項１にかかる放送受信装置において、タッチパネル部に表示する選局ボタンは、受信可能局に応じた選局ボタンを反転表示するか、または、受信可能局に応じた選局ボタンのみを表示する。
【００２５】
このような構成によれば、受信中の放送電波の電界強度が所定の受信レベル以下になり、系列局または送信局の放送電波に切り換え受信できない場合に、利用者は選局スイッチＳＷを操作することなく、タッチパネル部に表示された選局ボタンを操作することにより容易に、誤りなく、受信可能な放送局の放送電波を受信することができるようになる。
【発明を実施するための最良の形態】
【００２６】
以下、本発明の具体例を実施例及び図面を用いて詳細に説明する。ただし、以下に示す放送受信装置は、本発明の技術思想を具体化するための一実施例を例示するものであって、本発明をこの放送受信装置に特定することを意図するものではなく、特許請求の範囲に含まれるその他の実施形態の放送受信装置にも等しく適用し得るものである。
【実施例】
【００２７】
本発明の実施例にかかる放送受信装置１０は、図１に示すように、アンテナ１２、フロントエンド部１３、デマルチプレクサ１４、ＭＰＥＧデコーダ１５、音声信号処理部１６、スピーカ１７、映像信号処理部１８、表示部１９、タッチパネル部２０、制御部２２、ＲＯＭ２３、ＲＡＭ２４、操作部２５、周波数サーチ部２６、受信レベル判定部２７、受信可能局記憶部２８などを備えて構成されている。
【００２８】
放送局から送信される送信信号（放送電波：以下単に送信信号という）はアンテナ１２で受信され、フロントエンド部１３で処理された後、デマルチプレクサ１４で、データ信号（ＮＩＴ）、音声信号、映像信号の分離が行われる。映像信号はＭＰＥＧデコーダ１５により復号され、映像信号処理部１８で画像信号に変換され、表示部１９に映像が表示される。一方音声信号は音声信号処理部１６で処理され、スピーカ１７により出力される。
【００２９】
制御部２２は、ＲＯＭ２３、ＲＡＭ２４を備えたマイクロプロセッサから構成され、地上波デジタル放送受信機１０の各部を制御する。操作部２５は地上波デジタル放送受信機１０を操作するためのものであり、タッチパネル、キー、スイッチ、ダイヤルなどから構成される。周波数サーチ部２６は周辺の放送局や送信局から受信した送信信号（放送電波）をサーチするものであり、受信レベル判定部２７は周波数サーチ部２６でサーチした送信信号の受信レベル、すなわち、電界強度が所定のレベル以上あるか、否かを判定する。
【００３０】
周波数サーチした送信信号の電界強度が所定のレベル以上の場合、現在の位置において、該送信信号を放送している放送局、送信局の放送を受信することができることになり、その放送局、送信局を受信可能局記憶部２８に記憶しておく。周波数サーチした送信信号の電界強度が所定のレベル以下の場合、現在の位置において、該送信信号を放送している放送局、送信局の放送を受信することができないことになり、その放送局、送信局は受信可能局記憶部２８に記憶しない。
【００３１】
図２は、周波数サーチ部２６および受信可能局記憶の結果の一例を示す図であり、図２（ａ）は周波数サーチの結果、図２（ｂ）は受信可能局記憶部に記憶される情報の一例を示す図である。周波数サーチ部２６でサーチされた送信信号の周波数および受信レベル（電界強度）が、例えば、図２（ａ）に示すように、周波数Ｙ１、受信レベル６８等であった場合、受信レベル判定部２７は、各周波数の受信レベルが所定の電界強度以上であるか否かを判定する。
【００３２】
受信レベル判定部２７が所定の受信レベル（電界強度）以上と判定した周波数の送信信号については、図２（ｂ）に示す受信可能局の情報として受信可局能記憶部２８に記憶される。図２（ｂ）において、チャンネルはチャンネル番号、周波数は送信信号の周波数、受信強度は送信信号の電界強度、放送局名は送信信号を送出している放送局名である。タッチパネル部２０に表示される選局ボタンにはチャンネル番号が表記される。このようなリストは一般にはチャンネルリストと称される。
【００３３】
表示部１９はタッチパネル部２０を備えており、利用者が放送受信装置１０において受信する放送局を選局しようとする場合、操作部２５に設けられた選局スイッチを操作する。選局スイッチが操作されるとタッチパネル部２０に選局ボタンが表示される。
【００３４】
利用者が所望の放送を受信する場合、タッチパネル部２０に表示された選局ボタンをタッチ操作していずれかの送信局から送信される当該放送局の送信局周波数を選択する。ここで、放送受信装置１０が自動車等の移動体において利用される時には、移動体の移動に伴って受信中の送信局からの放送電波を受信できなくなることがある。
【００３５】
一般に移動体において受信中であった放送局のエリアから外に移動し、その放送局の放送電波を受信できなくなった場合、利用者は移動したエリアにおいても同じ放送番組を継続して受信したいという場合が多い。このため、上記特許文献２に記憶したような技術が利用でき、制御部２２は、系列局の放送を継続して受信できるようにする。
【００３６】
しかしながら、系列の放送局、送信局の送信信号の何れかが受信可能なレベルにある場合は自動的に当該系列局の送信信号を受信して継続して放送を視聴することができる。しかしながら、系列の放送局、送信局の送信信号の全てが受信可能なレベルにない場合、それらの放送を継続して受信することができなくなる。
【００３７】
本発明にかかる放送受信装置１０においては、移動体において受信中であった放送局のエリアから外に移動し、その放送局の放送電波を受信できなくなった際に、系列の放送局、送信局の送信信号の電界強度の全てが所定レベル以下であった場合、受信可能局記憶部２８に記憶されている放送局の選局ボタンをタッチパネル部２０に自動的に表示する。
【００３８】
従って、放送受信装置１０の利用者は、走行中のエリアで受信可能な他局をタッチパネル部２０上で容易に選択することができるようになる。図３は、タッチパネル部２０に表示される選局ボタン表示の一例を示す図である。
【００３９】
図３は、放送受信装置１０を正面から見た図を示しており、表示部１９のタッチパネル部２０に選局ボタンが３０ａ、３０ｂなどが表示される。下部にはスピーカ１７が設けられ、選局スイッチＳＷが設けられている。図３においては、受信可能な放送局に応じた選局ボタンが３０ａのように反転表示され、反転表示されていない他の選局ボタン３０ｂは受信することができない放送局に対応したものである。
【００４０】
図４は、タッチパネル部２０に表示される選局ボタン表示の他の一例を示す図である。図４は、図３と同様に、放送受信装置１０を正面から見た図を示しており、図３と同一の構成要素には同一の参照符号を付してある。図４においては、受信可能な放送局に応じた選局ボタンが３０ａのみが表示され、受信することができない放送局に対応する選局ボタンを表示しないようにしたものである。
【００４１】
本発明にかかる放送受信装置１０によれば、移動体において受信中であった放送局のエリアから外に移動し、その放送局の放送電波を受信できなくなった際に、系列の放送局、送信局の送信信号の電界強度の全てが所定レベル以下であった場合、利用者は選局スイッチＳＷを操作することなく、図３あるいは図４のように表示された選局ボタン３０ａの何れかをタッチ操作することによって、受信可能な他の放送局の送信信号を受信して視聴することができるようになる。
【００４２】
図５は、前述した本発明の実施例にかかる放送受信装置１０の動作手順を示すフローチャートである。ステップＳ１１の処理において、放送受信装置１０は選択された放送局の送信信号を受信して、例えば、テレビジョン画像を表示部１９に表示している状態にあるものとする。
【００４３】
ステップＳ１２の処理において、周波数サーチ部２６は、走行中の現エリアにおける各放送局や送信局の放送電波をサーチする。そして、ステップＳ１３の処理において、受信レベル判定部２７は周波数サーチ部２６がサーチした各放送局や送信局の放送電波の電界強度が所定の受信レベル以上か否かを判定する。そして、所定の受信レベル以上の電界強度があると判定された送信電波については、受信可能局記憶部２８に記憶する。
【００４４】
ステップＳ１４の処理においては、ステップＳ１１において受信中か否か（表示部に表示された放送局の放送電波の電界強度が所定の値以上であるか）を判定する。所定の電界強度以上であれば、ステップＳ１９の処理に進み、タッチパネル部２０に表示された選局ボタンを消去してステップＳ１１からの処理に戻る。
【００４５】
ステップＳ１４の処理においては、ステップＳ１１において受信中か否か（表示部に表示された放送局の放送電波の電界強度が所定の値以上であるか）を判定する。所定の電界強度以下であったら、制御部２２はステップＳ１５の処理において、系列局、送信局の放送電波の受信を試みる。ステップＳ１６の処理においては、ステップＳ１５の処理で受信した全ての系列局、送信局の放送電波の受信強度が所定の値以下であるかを判定する。
【００４６】
ステップＳ１６の判定処理において、全ての放送電波の受信強度が所定のレベル以下でなければ、系列局、送信局の何れかは受信可能なレベルであり、制御部２２は自動的にこの放送電波を受信し、同じ放送の視聴を継続する。この後の処理はステップＳ１９に進み、タッチパネル部２０に表示された選局ボタンを消去してステップＳ１１からの処理に戻る。
【００４７】
ステップＳ１６の判定処理において、全ての放送電波の受信強度が所定のレベル以下であると、何れの系列局、送信局の放送電波も受信可能なレベルでないことになり、同じ放送の視聴を継続することはできない。この場合、放送受信装置１０は、ステップＳ１７の処理において、受信可能局記憶部２８に記憶された局（周波数サーチ、受信レベル判定の結果、受信可能と判定された局）の情報に基づいて、対応する選局ボタンをタッチパネル部２０に表示する。
【００４８】
利用者がタッチパネル部２０に表示された選局ボタンの何れかをタッチ操作して局を選択すると、ステップＳ１８の判定処理でこれを判定し、次いでステップＳ１９の処理に進み、タッチパネル部２０に表示された選局ボタンを消去してステップＳ１１からの処理に戻る。ステップＳ１８の判定処理において選局ボタンの操作が判定されない場合には、ステップＳ１４の処理に戻る。
【００４９】
本発明の実施例による放送受信装置１０によれば、以上のような動作手順を採ることにより、移動体において受信中であった放送局のエリアから外に移動し、その放送局の放送電波を受信できなくなった際に、系列の放送局、送信局の送信信号の電界強度の全てが所定レベル以下であった場合、利用者は選局スイッチＳＷを操作することなく、タッチパネル部２０に表示された選局ボタンを操作することにより容易に受信可能な放送局の放送電波を受信することができるようになる。
【図面の簡単な説明】
【００５０】
【図１】本発明の実施例にかかる放送受信装置の構成を示すブロック図である。
【図２】周波数サーチおよび受信可能局記憶の結果の一例を示す図であり、図２（ａ）は周波数サーチの結果、図２（ｂ）は受信可能局記憶部に記憶される情報の一例を示す図である。
【図３】本発明の実施例にかかる放送受信装置のタッチパネル部に表示される選局ボタン表示の一例を示す図である。
【図４】本発明の実施例にかかる放送受信装置のタッチパネル部に表示される選局ボタン表示の他の一例を示す図である。
【図５】本発明の実施例にかかる放送受信装置の動作手順を示すフローチャートである。
【符号の説明】
【００５１】
１０・・・・放送受信装置
１２・・・・アンテナ
１３・・・・フロントエンド部
１４・・・・デマルチプレクサ
１５・・・・ＭＰＥＧデコーダ
１６・・・・音声信号処理部
１７・・・・スピーカ
１８・・・・映像信号処理部
１９・・・・表示部
２０・・・・タッチパネル部
２２・・・・制御部
２３・・・・ＲＯＭ
２４・・・・ＲＡＭ
２５・・・・操作部
２６・・・・周波数サーチ部
２７・・・・受信レベル判定部
２８・・・・受信可能局記憶部
【図１】
2008148197.tif 000003
【図２】
2008148197.tif 000004
【図３】
2008148197.tif 000005
【図４】
2008148197.tif 000006
【図５】
2008148197.tif 000007